【手続補正書】
【提出日】平成22年10月18日(2010.10.18)
【手続補正１】
【補正対象書類名】特許請求の範囲
【補正対象項目名】全文
【補正方法】変更
【補正の内容】
【特許請求の範囲】
【請求項１】
ハーフトーン処理用の閾値マトリクスを生成する情報処理装置であって、
所定領域に配置された網点格子点を、少なくとも回転処理を用いて変位する変位手段と、
前記所定領域を前記変位した網点格子点を囲む多角形に分割する分割手段と、
前記多角形が囲む網点を前記変位の向きに成長させる前記閾値マトリクスを生成する生成手段とを有することを特徴とする情報処理装置。
【請求項２】
前記生成手段は、前記変位の向きに隣接する前記多角形と接するまで前記網点を成長させた後、前記変位の向きと交差する向きにだけ前記網点を成長させる前記閾値マトリクスを生成することを特徴とする請求項1に記載された情報処理装置。
【請求項３】
前記変位手段は、前記網点格子点に揺らぎ処理および前記回転処理を与えて、前記網点格子点を変位することを特徴とする請求項1または請求項2に記載された情報処理装置。
【請求項４】
前記変位手段は、前記網点格子点に、さらに副走査方向への変位を加えることを特徴とする請求項3に記載された情報処理装置。
【請求項５】
前記生成手段は、画像形成装置のドットサイズに応じて前記多角形を分割した数分のセルを有する前記閾値マトリクスを生成し、前記セルそれぞれに画像データと比較する閾値を設定することを特徴とする請求項1から請求項4の何れか一項に記載された情報処理装置。
【請求項６】
前記生成手段は、前記分割手段が分割した多角形の数分の前記閾値マトリクスを生成し、前記変位前の網点格子点の位置に関連付けて前記閾値マトリクスをメモリに格納することを特徴とする請求項1から請求項5の何れか一項に記載された情報処理装置。
【請求項７】
前記変位前の網点格子点は、形成すべき画像の線数に応じた間隔を有することを特徴とする請求項1から請求項6の何れか一項に記載された情報処理装置。
【請求項８】
さらに、前記変位の向きに前記多角形を拡張した網点形状を決定する決定手段を有し、前記生成手段は、前記網点形状に略相似な形状で網点を成長させる前記閾値マトリクスを作成することを特徴とする請求項1から請求項7の何れか一項に記載された情報処理装置。
【請求項９】
閾値マトリクスを格納するメモリと、
画像形成装置の同期信号に従い、画像データを入力し、前記閾値マトリクスを前記メモリから入力して、前記画像データと前記閾値マトリクスの各セルの閾値を比較する比較手段と、
前記比較の結果に応じて、前記画像形成装置のレーザ光源を駆動する駆動手段とを有することを特徴とする画像処理装置。
【請求項１０】
前記メモリが格納する閾値マトリクスは、請求項1から請求項8の何れか一項に記載された情報処理装置が生成した閾値マトリクスであることを特徴とする請求項9に記載された画像処理装置。
【請求項１１】
変位手段、分割手段、生成手段を有し、ハーフトーン処理用の閾値マトリクスを生成する情報処理装置の情報処理方法であって、
前記変位手段が、所定領域に配置された網点格子点を、少なくとも回転処理を用いて変位し、
前記分割手段が、前記所定領域を前記変位した網点格子点を囲む多角形に分割し、
前記生成手段が、前記多角形が囲む網点を前記変位の向きに成長させる前記閾値マトリクスを生成することを特徴とする情報処理方法。
【請求項１２】
閾値マトリクスを格納するメモリ、比較手段、駆動手段を有する画像処理装置の画像処理方法であって、
前記比較手段が、画像形成装置の同期信号に従い、画像データを入力し、前記閾値マトリクスを前記メモリから入力して、前記画像データと前記閾値マトリクスの各セルの閾値を比較し、
前記駆動手段が、前記比較の結果に応じて、前記画像形成装置のレーザ光源を駆動することを特徴とする画像処理方法。
【請求項１３】
コンピュータを請求項1から請求項8の何れか一項に記載された情報処理装置の各手段として機能させることを特徴とするプログラム。
【手続補正２】
【補正対象書類名】明細書
【補正対象項目名】発明の名称
【補正方法】変更
【補正の内容】
【発明の名称】情報処理装置、および画像処理装置、並びに、それらの方法
【手続補正３】
【補正対象書類名】明細書
【補正対象項目名】０００４
【補正方法】変更
【補正の内容】
【０００４】
電子写真方式の印刷装置による印刷画像は、上記の電子写真プロセスの非線形特性により、空間周波数の変動に大きく影響される。電子写真プロセスにより中間調画像を形成する場合、非線形性を考慮して、網点方式を利用する。網点方式を利用すれば基本空間周波数が固定され、空間周波数の変動を受けずに、ドットを安定に記録することができる。例えば、網点の線数をN線/インチとすると、網点のピッチPは25.4/N[mm]になる。つまり、空間周波数は1/(2P)=N/(2×25.4)であり、基本空間周波数が固定されたことになる。従って、基本空間周波数において、常に、電子写真プロセスが安定化するように印刷装置を設計すれば、印刷画像を安定に形成することができる。例えば、1200dpiの印刷装置において200線/インチの網点スクリーンの基本空間周波数は4サイクル/mmである。つまり、4サイクル/mmの空間周波数において電子写真プロセスを安定化させれば、印刷装置の画像再現特性が向上する。
【手続補正４】
【補正対象書類名】明細書
【補正対象項目名】００１６
【補正方法】変更
【補正の内容】
【００１６】
本発明は、電子写真方式の低解像度プリンタに適用可能なハーフトーン処理用の閾値マトリクスを生成することを目的とする。
【手続補正５】
【補正対象書類名】明細書
【補正対象項目名】００１７
【補正方法】変更
【補正の内容】
【００１７】
また、モアレの発生を抑制し、良好な階調再現が得られるハーフトーン処理用の閾値マトリクスを生成することを他の目的とする。
【手続補正６】
【補正対象書類名】明細書
【補正対象項目名】００１９
【補正方法】変更
【補正の内容】
【００１９】
本発明にかかる画像処理は、ハーフトーン処理用の閾値マトリクスを生成する際に、所定領域に配置された網点格子点を、少なくとも回転処理を用いて変位し、前記所定領域を前記変位した網点格子点を囲む多角形に分割し、前記多角形が囲む網点を前記変位の向きに成長させる前記閾値マトリクスを生成することを特徴とする。
【手続補正７】
【補正対象書類名】明細書
【補正対象項目名】００２０
【補正方法】変更
【補正の内容】
【００２０】
本発明によれば、電子写真方式の低解像度プリンタに適用可能なハーフトーン処理用の閾値マトリクスを生成することができる。
【手続補正８】
【補正対象書類名】明細書
【補正対象項目名】００２１
【補正方法】変更
【補正の内容】
【００２１】
また、モアレの発生を抑制し、良好な階調再現が得られるハーフトーン処理用の閾値マトリクスを生成することができる。
【手続補正９】
【補正対象書類名】明細書
【補正対象項目名】００２９
【補正方法】変更
【補正の内容】
【００２９】
半導体レーザ素子などのビーム光源27から出力された光ビーム26は、球面系あるいはアナモフィック光学系によるコリメータレンズ28を介して回転多面鏡25の反射面に入射する。回転多面鏡25の回転により偏向された光ビーム26は、f-θレンズなどの結像レンズ29を介して、回転する感光ドラム30上に結像し、感光ドラム30上を光走査する。
【手続補正１０】
【補正対象書類名】明細書
【補正対象項目名】００５９
【補正方法】変更
【補正の内容】
【００５９】
比較器33は、感光ドラム30の走査位置に対応する画像データと二つの閾値マトリクスを入力して、画像データと各セルの閾値を比較して、セルごとに、下式に従い三値信号を出力する。
Th0 ≦ D       の場合、出力信号=‘2’
Th1 ≦ D ＜ Th0の場合、出力信号=‘1’      …(9)
D ＜ Th1の場合、出力信号=‘0’
ここで、Th0、Th1は閾値、
Dは画像データ